(57)【要約】      （修正有）【課題】調光機能を有する偏光レンズを提供する。【解決手段】偏光シートの構成材料に、調光物質を含有させることにより、偏光シートの遮光部が調光機能を有したことを特徴とする。遮光部３ａに、調光材料が含有されたことにより、紫外線の当たる屋外等においては、調光偏光シート３の遮光部３ａに含有された調光材料により、光を遮るので、適度の遮光性能が得られる。紫外線のない室内等では、調光偏光シート３の遮光部３ａが、紫外線の影響がなくなるので、透明に戻るため、全くの透明レンズと同等の明るさとなり、極めて見易いのである。【選択図】図２
0003163999.tif 000002
【実用新案登録請求の範囲】
【請求項１】
偏光シートの構成材料に、調光物質を含有させることにより、偏光シートの遮光部が調光機能を有したことを特徴とする調光偏光レンズ。
【請求項２】
スピロピラン系、及び／又はナフトピラン系、及び／又はフラン系、及び／又はスピロオキサジン系、及び／又はフルギド系、及び／又はクロメン系等の調光材料を溶剤と共に加熱し、偏光シートの表面層に加熱浸透させることにより、調光材料を含有させたことを特徴とする請求項１記載の調光偏光レンズ。
【請求項３】
スピロピラン系、及び／又はナフトピラン系、及び／又はフラン系、及び／又はスピロオキサジン系、及び／又はフルギド系、及び／又はクロメン系等の調光材料を、偏光シートの表面層に染色することにより、調光材料を含有させたことを特徴とする請求項１記載の調光偏光レンズ。
【請求項４】
スピロピラン系、及び／又はナフトピラン系、及び／又はフラン系、及び／又はスピロオキサジン系、及び／又はフルギド系、及び／又はクロメン系等の調光材料を溶剤と共に加熱し、更に加圧することにより、偏光シートの表面層に加熱・加圧浸透させることにより、調光材料を含有させたことを特徴とする請求項１、又は請求項２記載の調光偏光レンズ。
【考案の詳細な説明】
【技術分野】
【０００１】  本考案は、調光機能を有する偏光レンズに関する。
【背景技術】
【０００２】  従来より、アウトドアのレジャーや自動車運転時に使用するメガネとして、水面やガラス等からの反射光を遮るための偏光レンズや、又紫外線に当たると遮光効果を発揮する調光レンズが使用されてきている。【０００３】  しかるに、調光機能を有し、かつ水面やガラス等からの反射光を遮る調光偏光レンズが、最も望ましい構成として望まれてきた。【０００４】  通常、偏光レンズは、レンズ本体と偏光シートにより構成され、偏光シートは、ポリビニールアルコール（ＰＶＡ）製等の材料で製作され、遮光性を与えるために、着色剤により着色したシートを、一定方向に引っ張ることで、遮光部と透光部が交互に形成され、水面やガラス面からの反射光の一定方向、例えば上下方向の波動を大幅にカットし、反射光の影響を無くす性質を有している。【０００５】  この性質は自動車運転時には、ダッシュボードや窓ガラスの反射像を遮断し、又、魚釣りにおける水面の反射を遮り、水中の魚を見易くする等の優れた機能を有している。【０００６】  又、調光レンズとは、レンズに含有されたハロゲン化銀が、太陽の紫外線が当たると、銀とハロゲンの原子に分離することにより着色し、紫外線を除くと又結合して色が消えるという可逆反応を利用して、明るい場所では、サングラスのような働きをし、室内等では、透明になるという性質を有している。【０００７】  それらを組み合わせた調光機能を有する調光偏光レンズが最も望ましい構成として要望されてきた。【０００８】  そのため、偏光レンズの対物側、又は接眼側に調光レンズを張合せる張合せ構造のレンズが、提案されている。
しかるにこの張合わせ構造では、紫外線の当たる場所では、調光と偏光が二重に機能するため、遮光性が強くなりすぎる。【０００９】  逆に、室内においては、調光レンズによる遮光は、時間経過により弱まるが、偏光レンズの色彩による遮光効果が残るため、暗くなりすぎ、見えにくいという欠陥を有していた。
【考案の概要】
【考案が解決しようとする課題】
【００１０】  本考案は、これらの課題を解消する画期的な調光偏光レンズを提供するものである。
【課題を解決するための手段】
【００１１】  偏光シートの構成材料に、調光物質を含有させることにより、偏光シートの遮光部が調光機能を有したことを特徴とする調光偏光レンズを提供する。【００１２】  スピロピラン系、及び／又はナフトピラン系、及び／又はフラン系、及び／又はスピロオキサジン系、及び／又はフルギド系、及び／又はクロメン系等の調光材料を溶剤と共に加熱し、偏光シートの表面層に加熱浸透させることにより、調光材料を含有させたことを特徴とする請求項１記載の調光偏光レンズを提供する。【００１３】  スピロピラン系、及び／又はナフトピラン系、及び／又はフラン系、及び／又はスピロオキサジン系、及び／又はフルギド系、及び／又はクロメン系等の調光材料を、偏光シートの表面層に染色することにより、調光材料を含有させたことを特徴とする請求項１記載の調光偏光レンズを提供する。【００１４】  スピロピラン系、及び／又はナフトピラン系、及び／又はフラン系、及び／又はスピロオキサジン系、及び／又はフルギド系、及び／又はクロメン系等の調光材料を溶剤と共に加熱し、更に加圧することにより、偏光シートの表面層に加熱・加圧浸透させることにより、調光材料を含有させたことを特徴とする請求項１、又は請求項２記載の調光偏光レンズを提供する。
【考案の効果】
【００１５】（１）遮光部３ａに、調光材料が含有されたことにより、紫外線の当たる屋外等においては、調光偏光シート３の遮光部３ａに含有された調光材料により、光を遮るので、適度の遮光性能が得られる。【００１６】（２）紫外線のない室内等では、調光偏光シート３の遮光部３ａが、紫外線の影響がなく    なるので、透明に戻るため、全くの透明レンズと同等の明るさとなり、極めて見易い    のである。
【図面の簡単な説明】
【００１７】
【図１】本考案実施例の断面図である。
【図２】本考案実施例の調光偏光シートの模式図である。
【図３】従来の張合わせ形レンズの断面図である。
【考案を実施するための形態】
【００１８】  本考案は、考案の効果に前述した如く、調光機能を有する偏光レンズの画期的な構成を提供することができた。
【００１９】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００２０】  以下、本考案の実施例について、図面を参照しながら説明する。【００２１】  まず、従来例の張合わせ形レンズ１０を図３に示すと、レンズ本体１１の対物側、又は接眼側には、偏光シート１２が設けてある。
今、レンズ本体１１の対物側に遮光シート１２が配置されている場合で説明すると、保護層１３を通して、紫外線が調光レンズ１４にあたって、遮光効果を発揮した後、光は偏光シート１２に入光する。
そのため、それぞれの遮光効果が重なるため大幅に暗くなるのである。
一方、室内においては、調光レンズ１４の遮光性は、暫くすると無くなるが、偏光シート１２の遮光部１２ａの色彩により暗くなり、室内では見えにくいのである。【００２２】  本考案の実施例の断面図を図１に示す。【００２３】  前記調光偏光レンズ１は、レンズ本体２と、その対物側には、調光偏光シート３が設けられており、該調光偏光シート３の対物側には、保護層４が、接着等により設けられている。
もちろん、調光偏光シート３は、レンズ本体２の接眼側に設けても同様の効果を発揮する。その場合は、保護層は接眼側に設けられる。
保護層に関しては、従来から用いられている、例えばポリカーボネイト製等の硬質の保護層を更に設けてもよい。【００２４】  図２は、本考案の調光機能を有する調光偏光シート３の模式図を示す。
すなわち、調光偏光シート３は、遮光部３ａと、透光部３ｂが、交互に構成されている。【００２５】  遮光部３ａに、調光材料が含有されたことにより、紫外線の当たる屋外等においては、調光偏光シート３の遮光部３ａに含有された調光材料により、光を遮るので、適度の遮光性能が得られる。【００２６】  次に、紫外線のない室内等では、調光偏光シート３の遮光部３ａが、紫外線の影響がなくなるので、透明に戻るため、全くの透明レンズと同等の明るさとなり、極めて見易いのである。【００２７】  次に、調光偏光シートの加工であるが、偏光シートの構成材料に、調光物質を含有させることにより、偏光シートの遮光部が調光機能を有した調光偏光レンズを提供する。【００２８】  その詳細を述べると、スピロピラン系、及び／又はナフトピラン系、及び／又はフラン系、及び／又はスピロオキサジン系、及び／又はフルギド系、及び／又はクロメン系等の調光材料を溶剤と共に加熱し、偏光シートの表面層に対し加熱浸透させると、調光材料を含有させたことができた。そのシートを引っ張り加工することにより遮光部３ａが、調光機能を有した調光偏光レンズを提供することが出来たのである。
【実施例２】
【００２９】  更に、望ましくは、スピロピラン系、及び／又はナフトピラン系、及び／又はフラン系、及び／又はスピロオキサジン系、及び／又はフルギド系、及び／又はクロメン系等の調光材料を溶剤と共に加熱し、更に加圧することにより、偏光シートの表面層に加熱・加圧浸透させることにより、浸透力を強化することができ、遮光部３ａが、調光機能を有した調光偏光レンズを提供することが出来るのである。
【実施例３】
【００３０】  別の加工法としては、スピロピラン系、及び／又はナフトピラン系、及び／又はフラン系、及び／又はスピロオキサジン系、及び／又はフルギド系、及び／又はクロメン系等の調光材料を、偏光シートの表面層に染色することにより、偏光シートの表面層に対し染色効果により、調光材料を含有させたことができた。そのシートを引っ張り加工することにより遮光部３ａが、調光機能を有した調光偏光レンズを提供することが出来たのである。
【産業上の利用可能性】
【００３１】    本考案の構造により、従来の欠点のない調光偏光レンズが提供できるため、屋外では、遮光性を有し、屋内では透明になるという極めて優れた性能により新市場を形成できると共に、製作工程が減少するため安価に提供できるという経済効果を発揮することができ、産業の発展に大きく貢献することができる。
【符号の説明】
【００３２】  １    調光偏光レンズ
２    レンズ本体
３    調光偏光シート
３ａ  遮光部
３ｂ  透光部
４    保護層
１０  従来の張合わせ形レンズ
１１  レンズ本体
１２  偏光シート
１３  保護層
１４  調光レンズ
【図１】
0003163999.tif 000003
【図２】
0003163999.tif 000004
【図３】
0003163999.tif 000005